(57)【要約】【課題】ドレンパンに結露を生じることを抑制できる空気調和機の室内機を提供する。【解決手段】室内空気と冷媒の熱交換を行う熱交換器と、熱交換器に前記室内空気を通風するファンと、熱交換器からのドレンを受けるドレンパンと、前記ドレンパンに設けられ前記ドレンを外部に排出するドレン穴１１とを備えている。ドレン穴１１の入口部分は重力方向下側の少なくとも一部が段差部１２をなして当該ドレンパンの底部よりも高くなっている。【選択図】図３
2020051641.tif 000002
【特許請求の範囲】
【請求項１】
室内空気と冷媒の熱交換を行う熱交換器と、
熱交換器に前記室内空気を通風するファンと、
熱交換器からのドレンを受けるドレンパンと、
前記ドレンパンに設けられ前記ドレンを外部に排出するドレン穴とを備え、
前記ドレン穴の入口部分は重力方向下側の少なくとも一部が段差部をなして当該ドレンパンの底部よりも高くなっている空気調和機の室内機。
【請求項２】
前記ドレン穴の入口部分は、重力方向上側が切欠かれ重力方向下側における前記ドレン穴の長手方向の両側部分に前記段差部が形成されている請求項１に記載の空気調和機の室内機。
【請求項３】
前記段差部は、前記ドレンが流れる方向に前記段差部の頂部に向かって上り傾斜をしている傾斜部を備えていて、
前記傾斜部は、前記ドレンの流れる前記ドレンパンの両側部の端から端まで形成されている請求項１又は請求項２に記載の空気調和機の室内機。
【請求項４】
前記段差部の前記ドレンパンの底部からの高さは前記ドレン穴の半径サイズよりも低い請求項１乃至請求項３の何れかの一項に記載の空気調和機の室内機。
【発明の詳細な説明】
【技術分野】
【０００１】
本発明は、空気調和機の室内機に関する。
【背景技術】
【０００２】
本技術分野の背景技術として、実開昭５８−１０４８１２号公報（特許文献１）がある。この公報には、「本体ベースにドレン排水管が接続されている点」が記載されている。
【先行技術文献】
【特許文献】
【０００３】
【特許文献１】実開昭５８−１０４８１２号公報
【発明の概要】
【発明が解決しようとする課題】
【０００４】
しかし、特許文献１に開示の技術は、単純に本体ベースにドレン排水管が接続されているだけであるため、ドレンに冷やされてドレン排水管近傍の本体ベースに結露を生じる恐れがあるという不具合がある。
そこで、本発明は、ドレンパンに結露を生じることを抑制できる空気調和機の室内機を提供することを課題とする。
【課題を解決するための手段】
【０００５】
上記課題を解決するため、本発明の一形態は、室内空気と冷媒の熱交換を行う熱交換器と、熱交換器に前記室内空気を通風するファンと、熱交換器からのドレンを受けるドレンパンと、前記ドレンパンに設けられ前記ドレンを外部に排出するドレン穴とを備え、前記ドレン穴の入口部分は重力方向下側の少なくとも一部が段差部をなして当該ドレンパンの底部よりも高くなっている。
【発明の効果】
【０００６】
本発明によれば、ドレンパンに結露を生じることを抑制できる空気調和機の室内機を提供することができる。
上記した以外の課題、構成及び効果は、以下の実施形態の説明により明らかにされる。
【図面の簡単な説明】
【０００７】
【図１】本発明の実施例１である空気調和機の室内機の横断面図である。
【図２】本発明の実施例１である空気調和機の室内機におけるドレンパンの斜め上方から視た斜視図である。
【図３】本発明の実施例１である空気調和機の室内機におけるドレン穴の入口部分を側部上方から視た斜視図である。
【図４】本発明の実施例１である空気調和機の室内機におけるドレンパン流路を斜め上から視た斜視図である。
【図５】本発明の実施例１である空気調和機の室内機におけるドレンパン流路を斜め下から視た斜視図である。
【図６】本発明の実施例２である空気調和機の室内機におけるドレン穴の入口部分を側部上方から視た斜視図である。
【発明を実施するための形態】
【０００８】
以下、本発明の実施例について図面を用いて説明する。
【実施例１】
【０００９】
図１は、本発明の実施例１に係る空気調和機の室内機の横断面図である。なお、図１以下の図において、適宜、空気調和機の室内機を室内に設置したときの前後左右上下（前が室内側となる）の方向を矢印で示す。
【００１０】
図１において、空気調和機の室内機１は、その筐体２内に熱交換器３を収納している。熱交換器３は、室内空気と冷媒との熱交換を行う。縦断面が略逆Ｖ字状の熱交換器３の下部にはファン４が設けられて室内空気を熱交換器３に通風する。筐体２と熱交換器３との間にはフィルタ７が設けられている。熱交換器３の前側の下端部３ａと後側の下端部３ｂの下には、それぞれドレンパン５，６が設けられている。空気調和機の室内機１は、図示しない室外機と接続されて、空気調和機として動作する。
【００１１】
図２は、ドレンパン５を示す斜視図である。ドレンパン５は、ドレンパン本体５ａを備えている。ドレンパン本体５ａは熱交換器３から滴下するドレンを受ける。ドレンパン本体５ａは筐体２下部の前部に設けられ、左右方向に延びている。室内機１の左右の端部部分では、ドレンパン５は、ドレンパン本体５ａに接続されていて筐体２の後方に延びるドレン流路であるドレンパン流路５ｂを備えている。ドレンパン流路５ｂの最後部には、ドレンを外部に排出するためのドレン穴１１が設けられている（左側のドレン穴１１は図示を省略）。ドレン穴１１には図示しないホースが接続され、ドレンを外部に排出する。よって、ドレンパン本体５ａに滴下したドレンはドレンパン本体５ａ及びドレンパン流路５ｂを流れてドレン穴１１から排出される。なお、左右風向板８は、室内機１が吹き出す空気を左右方向に向きを変えるための部材である。
【００１２】
ところで、ドレン穴１１に冷たいドレンが集中すると、ドレン穴１１の入口の近傍が冷えてドレン穴１１近傍のドレンパン流路５ｂに結露が生じる恐れがある。以下では、ドレンパン流路５ｂに結露が生じにくいドレン穴１１の入口部分の形状について説明する。
【００１３】
図３は、ドレン穴１１の入口部分を側部上方から視た斜視図である。ドレンパン流路５ｂの後部壁面５ｂ１にはパイプ部１４が接続されて外部に張り出している。パイプ部１４には、径方向が円形の穴であるドレン穴１１が形成されている。ドレンはドレンパン流路５ｂの底部５ｂ２を流れてドレン穴１１から排出される。ドレン穴１１のドレンの入口部分１３は重力方向下側の少なくとも一部がドレンパン５の底部５ｂ２から段差部１２をなして当該ドレンパン流路５ｂの底部５ｂ２より高くなっている。パイプ部１４は、後記する図５に示すように、外部の先端部側に向かって下り勾配している（後記する図６の例も同様）。
【００１４】
本実施例１では、ドレン穴１１の入口部分１３は、重力方向上側が切欠かれたような形状をしていて、重力方向下側におけるドレン穴１１の長手方向の両側部分に台形状の段差部１２が形成されている。具体的には、段差部１２は、長手方向と鋭角をなす方向に切断したような形状をなしているパイプ部１４におけるドレンパン流路５ｂ側の先端部の両側に接続している。しかし、そのパイプ部１４の先端部は段差部１２の端面１２ａよりもドレンパン流路５ｂ側には突きでない。すなわち、パイプ部１４のドレンパン流路５ｂ側の先端部は段差部１２の端面１２ａで縦に切断されたような形状をなしている。段差部１２の両側はドレンパン流路５ｂの両側部５ｂ３に接続している（但し、図３においては２つの側部５ｂ３の一方を図示していない。）。段差部１２の上面をなす板１２ｂは、ドレンパン流路５ｂの底部５ｂ２と所定の間隔を空けて設けられている。
【００１５】
なお、ドレン穴１１の入口部分１３の下方に厚みを持たせる手法としては、段差部１２を設ける以外の手法も考えられる。例えば、ドレン穴１１のドレンの入口部分１３における底部１１ａに厚みを持たせるようにすることも考えられる。しかし、この場合は、当該厚みがドレン穴１１を塞いでしまう。また、前記底部１１ａにおけるドレンパン５の裏面に厚みを持たせるようにすることも考えられる。しかし、この手法だと、ドレンパン５の裏面の一部が下方に張り出してしまい不都合が生じることも考えられる。これらの理由で前記のように段差部１２を設けるのが望ましい。
【００１６】
図３に示すように、ドレンパン流路５ｂの底部５ｂ２からの段差部１２の高さａは、ドレン穴１１の半径サイズｂよりも低くなっている。
【００１７】
次に、本実施例１の作用効果について説明する。
図４は、ドレンパン流路５ｂを斜め上から視た斜視図であり、図５は、ドレンパン流路５ｂを斜め下から視た斜視図である。ドレンパン本体５ａは熱交換器３からドレンを受ける（図２参照）。このドレンはドレンパン流路５ｂを矢印ｃ方向に流れてドレン穴１１から排出される。
【００１８】
このとき、低温のドレンがドレン穴１１のドレンの入口部分１３に集中するが、ドレンの入口部分１３には段差部１２が形成されている。そのため、図５に示す段差部１２の直下の部位２１は過度に冷却されず、結露が生じにくい。このように部位２１の過度な冷却を防止することで、部位２１に周囲の過度の冷却も緩和されて結露が生じにくい。
また、ドレンパン流路５ｂの底部５ｂ２からの段差部１２の高さａは、ドレン穴１１の半径サイズｂよりも低くなっている。そのため、段差部１２が大きすぎず、段差部１２の容積でドレンパン流路５ｂの容積が小さくなるのを抑制することができる。
【実施例２】
【００１９】
本実施例２において、実施例１と共通の部材等については図示、説明を適宜省略し、実施例１と共通の符号を用いる。図６は、実施例２においてドレン穴１１の入口部分を側部上方から視た斜視図である。実施例２が実施例１と異なるのは、段差部１２が、ドレンが流れる方向に段差部１２の頂部に向かって上り傾斜をしている傾斜部３１を備えている点である。傾斜部３１の頂部は段差部１２の頂部と同じ高さがあって、傾斜部３１と段差部１２は接合している。段差部１２に傾斜部３１を設けたことで、段差部１２にもドレン穴１１の一部が形成されていて、このドレン穴１１の入口は略楕円形状をしている。傾斜部３１の両側は、段差部１２と同様、ドレンパン流路５ｂの両側部５ｂ３にそれぞれ接続されている（図６において、一方の側部５ｂ３は図示していない）。
【００２０】
次に、本実施例２の作用効果について説明する。実施例１と共通する作用効果については適宜説明を省略する。
傾斜部３１は、ドレンが流れる方向に段差部１２の頂部に向かって上り傾斜をしている。そのため、ドレンに混入しているゴミが段差部１２に滞留してしまうことを防止することができる。このゴミは傾斜部３１によって滞留しにくいのでドレンの水流と共にドレン穴１１に流れる。
図６において図示していないが、実施例１と同様、ドレンパン流路５ｂの底部５ｂ２からの段差部１２の高さは、ドレン穴１１の半径サイズよりも低くなっている。そのため、段差部１２が大きすぎず、段差部１２の容積でドレンパン流路５ｂの容積が小さくなるのを抑制することができる。
【００２１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
前記のようなドレンパン５に適用した特徴的な構成は、ドレンパン６に適用してもよい。
【符号の説明】
【００２２】
１      空気調和機の室内機
３      熱交換器
４      ファン
５      ドレンパン
１１    ドレン穴
１２    段差部
３１    傾斜部
ａ      段差部の高さ
ｂ      ドレン穴の半径サイズ
【図１】
2020051641.tif 000003
【図２】
2020051641.tif 000004
【図３】
2020051641.tif 000005
【図４】
2020051641.tif 000006
【図５】
2020051641.tif 000007
【図６】
2020051641.tif 000008
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
室内空気と冷媒の熱交換を行う熱交換器と、
熱交換器に前記室内空気を通風するファンと、
熱交換器からのドレンを受けるドレンパンと、
前記ドレンパンに設けられ前記ドレンを外部に排出するドレン穴とを備え、
前記ドレン穴の入口部分の両側部は重力方向下側の少なくとも一部が段差部をなして当該ドレンパンの底部よりも高くなっていて、前記段差部の上面をなす板はその直下に位置する前記ドレンパンの底板との間に空間を有している空気調和機の室内機。
【請求項２】
前記ドレン穴の入口部分は、重力方向上側が切欠かれ重力方向下側における前記ドレン穴の中心軸を通る縦断面に対する両側部分に前記段差部が形成されている請求項１に記載の空気調和機の室内機。
【請求項３】
前記段差部は、前記ドレンが流れる方向に前記段差部の頂部に向かって上り傾斜をしている傾斜部を備えていて、
前記傾斜部は、前記ドレン穴の入口からドレンパン流路の両側部まで形成されている請求項１又は請求項２に記載の空気調和機の室内機。
【請求項４】
前記段差部の前記ドレンパンの底部からの高さは前記ドレン穴の半径サイズよりも低い請求項１乃至請求項３の何れかの一項に記載の空気調和機の室内機。
【手続補正２】
【補正対象書類名】明細書
【補正対象項目名】０００５
【補正方法】変更
【補正の内容】
【０００５】
上記課題を解決するため、本発明は、室内空気と冷媒の熱交換を行う熱交換器と、熱交換器に前記室内空気を通風するファンと、熱交換器からのドレンを受けるドレンパンと、前記ドレンパンに設けられ前記ドレンを外部に排出するドレン穴とを備え、前記ドレン穴の入口部分の両側部は重力方向下側の少なくとも一部が段差部をなして当該ドレンパンの底部よりも高くなっていて、前記段差部の上面をなす板はその直下に位置する前記ドレンパンの底板との間に空間を有している。